(57)【要約】【課題】身体から生じるエネルギーを身体に反射する複合物を提供する。【解決手段】複合物は、不活性材料を含む。複合物を用いる方法は、身体から生じるエネルギーを身体に反射することによって、動物の健康状態を向上させる。【特許請求の範囲】
【請求項１】
第１の層と、前記第１の層に接着される第２の層とを含む複合物であって、
前記第１の層は、前記複合物の総量に対して約６５〜９０重量パーセントのカーボンファイバを含み、
前記第２の層は、前記複合物の総量に対して、約０．０１〜１．０重量パーセントのグラフェンと、約０．１〜３．０重量パーセントのカーボンナノチューブと、約１０〜３５重量パーセントの樹脂または接着材料と、を含む、複合物。
【請求項２】
前記樹脂は、ポリエチレン（ＰＥ）、ポリプロピレン（ＰＰ）、ポリエステル、熱可塑性ポリウレタン（ＴＰＵ）、熱可塑性エラストマー（ＴＰＥ）、アクリル樹脂、ポリウレタン（ＰＵ）、シリコーン樹脂、ポリ塩化ビニル（ＰＶＣ）、ポリスチレン（ＰＳ）、ポリアミド（ＰＡ）、ポリオキシメチレン（ＰＯＭ）、ポリカーボネート（ＰＣ）、ポリメチルメタクリレート（ＰＭＭＡ）、または、熱可塑性ゴム（ＴＰＲ）、或いは、それらの組み合わせである、
請求項１に記載の複合物。
【請求項３】
前記接着材料は、ポリメチルメタクリレート（ＰＭＭＡ）、ポリウレタン、エポキシ、または、その改変形態である、請求項１に記載の複合物。
【請求項４】
前記カーボンファイバの量は、約７０〜９０重量パーセントの範囲である、請求項１に記載の複合物。
【請求項５】
前記グラフェンの量は、約０．０５〜１重量パーセントの範囲である、請求項１に記載の複合物。
【請求項６】
前記カーボンナノチューブの量は、約０．１〜２．５重量パーセントの範囲である、請求項１に記載の複合物。
【請求項７】
前記樹脂または接着材料の量は、約１０〜３０重量パーセントの範囲である、請求項１に記載の複合物。
【請求項８】
身体内の水分子の振動によって生じたエネルギーを前記身体に反射することによって人間の健康を向上させることができる、請求項１に記載の複合物。
【請求項９】
請求項１に記載の複合物を２つ以上含む積層体。
【請求項１０】
請求項１に記載の複合物が接着されるか、または、入れられている製品。
【請求項１１】
パッチ、靴パッド、ベルト、胸パッド、腹部パッド、ネックストラップ、バンド、タンクトップ、ベスト、帽子、または、下着である、請求項１０に記載の製品。
【請求項１２】
身体の健康状態を向上させる方法であって、請求項１に記載の複合物を身体に適用することを含み、前記複合物は、前記身体から生じたエネルギーを前記身体に反射することによって、前記身体の健康状態を向上させる、方法。
【発明の詳細な説明】
【技術分野】
【０００１】
本発明は、身体から生じるエネルギーを身体に反射する複合物に関する。特に、本発明は、不活性材料を含む基体に関し、また、身体から生じるエネルギーを身体に反射することによって動物の健康状態を向上させる複合物を用いる方法にも関する。
【背景技術】
【０００２】
理学療法は、補完代替医療の１つであり、さまざまな病気および異常を診断し治療する際に広く適用されている。理学療法は、手術を避け、投薬を減らし、痛みを緩和し、ケガのリスクを減少させる。理学療法は、機械力および機械的動作（生体力学（バイオメカニクス）、または、運動学（キネジオロジー））、用手療法、運動療法、および、電気療法を用いて、障害を改善し、可動性および機能を促進する。
【０００３】
特許文献１は、人体に着ける携帯機器を提供する。この携帯機器は、遠赤外線を発生する複合板、磁気発生ユニット、電子回路ユニット、および、遠赤外線を発生する複合板に配置された水銀電池を含み、人間の疲労やストレスを低減するために生体エネルギーを自己放射する。特許文献２は、互いに異なる磁気極性を有する２つの永久磁石の回転によって磁気振動を発生させつつ、内部に収容したマクバンソク（Ｍａｃｂａｎｓｅｏｋ）（韓国の石の一種）から遠赤外線を放射し、電気ニードルを用いて身体に電気刺激を与える携帯治療機器に関する。特許文献３は、支持手段を有し、その支持手段に人間の健康状態を向上させるための手段である遠赤外線放射体が載置されたパーソナル治療機器を記載している。特許文献４は、エネルギー放射素子アレイを利用して、鍼治療の経絡に沿って気エネルギーの流れを刺激するエネルギー治療装置を提供する。
【０００４】
しかしながら、理学療法によって人間の健康状態を向上させる製品の開発が必要である。
【先行技術文献】
【特許文献】
【０００５】
【特許文献１】米国特許第５，４５１，１９９号
【特許文献２】米国特許第６，４６１，３７７号
【特許文献３】米国特許第６，５１６，２２９号
【特許文献４】米国特許第６，８６０，８９６号
【発明の概要】
【発明が解決しようとする課題】
【０００６】
本開示は、不活性材料を含む複合物を身体に適用することを含む、身体の健康を向上させる方法を提供する。本開示の方法により、身体から発せられるエネルギーを複合物によって身体に反射させて身体の健康状態を高めることができる。
【課題を解決するための手段】
【０００７】
いくつかの実施形態では、複合物は、製品に接着されるかまたは製品内に入れられる。いくつかの実施形態では、製品は、パッチ、靴パッド、ベルト、胸パッド、腹部パッド、ネックストラップ、バンド、タンクトップ、ベスト、帽子、または、下着である。
【０００８】
一側面では、本開示は、第１の層と、第１の層に接着される第２の層とを含む複合物を提供する。第１の層は、複合物の総量に対して約６５〜９０重量パーセントのカーボンファイバ（炭素繊維）を含み、第２の層は、複合物の総量に対して、約０．０１〜１．０重量パーセントのグラフェンと、約０．１〜３．０重量パーセントのカーボンナノチューブと、約９．９〜３５重量パーセントの樹脂または接着材料とを含む。
【０００９】
他の側面では、本開示は、本開示の複合物を２つ以上含む積層体を提供する。
【発明を実施するための形態】
【００１０】
別段の定めがない限り、本願明細書において用いられるすべての科学技術用語は、本開示が属する分野の当業者が共通に理解しているものと同じ意味を有する。本願明細書中に記載されているものと同様または等価な方法および材料は、開示された方法および組成の実施に用いられるが、本願明細書中に記載されている方法、装置、および、材料は、例示に過ぎない。
【００１１】
本願明細書および添付の請求項の範囲において用いられるような冠詞の単数形は、文脈上、そうでないとする明確な指示がない限り、複数形を含む。
【００１２】
特に記載のない限り、“または”の使用は、“および／または”を意味する。同様に、「〜を有する」と「〜を含む」とは、取替え可能であり、限定を意図しない。
【００１３】
身体が食物分子を分解すると、食物の化学結合のエネルギーが放出され、身体を動かす。しかしながら、人間の身体の効率は、約２５％に過ぎず、これは、食物からのエネルギーの７５％は熱として放出されてしまうということを意味する。放射熱は、主に赤外領域の電磁波により伝達される。身体からの放射は、身体を構成する分子の熱運動の結果である。したがって、本開示は、不活性材料含む複合物と、複合物を含む製品とに基づくものであって、身体から生じたエネルギーを身体に反射することによって、身体の健康状態を向上させることができる。
【００１４】
本開示の複合物は、グラフェン、カーボンナノチューブ、カーボンファイバ、および、樹脂などの不活性材料を含む。本開示の複合物自体は、エネルギーを放出しないが、身体から生じたエネルギーを身体に反射することによって、身体の健康状態を向上させることができる。一実施形態では、複合物によって反射されるエネルギーは、約４〜１４μｍの波長を有する電磁波である。約４〜１４μｍの波長は、遠赤外線（ＦＩＲ）の領域に含まれる。物体は、温度が約５Ｋ〜３４０Ｋの間では、遠赤外線領域での放射を行う。熱としても知られる熱放射は、絶対零度より高い温度を有するすべての物質からの電磁波放射である。本開示の複合物は、人体から発せられた電磁波を反射する。
【００１５】
一実施形態では、本開示は、第１の層と、第１の層に接着された第２の層とを含む複合物を提供する。第１の層は、複合物の総量に対して約６５〜９０重量パーセントのカーボンファイバを含み、第２の層は、複合物の総量に対して、約０．０１〜１．０重量パーセントのグラフェン、約０．１〜３．０重量パーセントのカーボンナノチューブ、および、約１０〜３５重量パーセントの樹脂または接着材料を含む。
【００１６】
グラフェンは、六角形セルによる結晶構造に従ったｓｐ２混成炭素原子の単原子層である。この基本構造は、平面配座を有するので、単原子層は、二次元材料のように見える。系の特定の形状、および、炭素の電子配置により、グラフェンは、例外的な機械的特性及び電子的特性をもつ非常に特殊な電子帯構造を有する。１ＴＰａのヤング係数、および、１３０ＧＰａの引張強さを有するグラフェンは、これまで測定した最も抵抗力のある材料である。さらには、グラフェンの熱伝導率は、５，０００Ｗ／ｍＫであり、電気抵抗率は、４×１０−５Ωｃｍである。
【００１７】
カーボンナノチューブは、チューブ自体のキラリティに依存する伝導体または半導体特性を示す。カーボンナノチューブは、炭素原子との強力な共有結合によって鋼（スチール）の１００倍を上回る優れた引張強度を有し、柔軟性および弾性にも優れ、化学的に安定した特性を有する。このようなサイズ、および、特殊な物理的性質により、カーボンナノチューブは、複合物の工業的製造において重要であり、電子材料、エネルギー材料の分野だけでなく、その他のさまざまな分野においても有用性が高い。
【００１８】
カーボンファイバは、低価格、軽量で丈夫な強化材料であり、高い弾性係数を有する。カーボンファイバの直径は、約５〜１０マイクロメートルであり、主に、炭素原子からなる。カーボンファイバの利点としては、高剛性、高引張強度、軽量、高耐薬品性、耐高温性、および、低熱膨張が挙げられる。
【００１９】
樹脂は、一般的に、ポリマーに変換可能な植物または合成起源の固体または高粘性物質である。樹脂は、通常、有機化合物の混合物である。一実施形態では、樹脂は、熱可塑性樹脂である。いくつかの実施形態では、樹脂は、これらに限定されないが、ポリエチレン（ＰＥ）、ポリプロピレン（ＰＰ）、ポリエステル、熱可塑性ポリウレタン（ＴＰＵ）、熱可塑性エラストマー（ＴＰＥ）、アクリル樹脂、ポリウレタン（ＰＵ）、シリコーン樹脂、ポリ塩化ビニル（ＰＶＣ）、ポリスチレン（ＰＳ）、ポリアミド（ＰＡ）、ポリオキシメチレン（ＰＯＭ）、ポリカーボネート（ＰＣ）、ポリメチルメタクリレート（ポリメタクリル酸メチル）（ＰＭＭＡ）、エポキシ、熱可塑性ポリウレタン（ＴＰＵ）、熱可塑性ゴム（ＴＰＲ）、および、それら任意の組み合わせをも含む。いくつかの実施形態では、樹脂は、エポキシ、ＰＭＭＡ、または、ＴＰＵである。
【００２０】
接着材料は、樹脂、グラフェン、および、カーボンナノチューブを固定し、第２の層を第１の層に接着するために用いられてよい。一実施形態では、樹脂は、接着材料として用いられてよい。いくつかの実施形態では、接着材料は、これらに限定されないが、ＰＭＭＡ、ポリウレタン、または、エポキシ、および、その改変形態を含む。
【００２１】
一実施形態では、カーボンファイバの量は、約６５〜９０重量パーセント、約６５〜８０重量パーセント、約６５〜７０重量パーセント、約７０〜９０重量パーセント、または、約７０〜８０重量パーセントの範囲である。
【００２２】
一実施形態では、グラフェンの量は、約０．０１〜１重量パーセント、約０．０５〜１重量パーセント、約０．１〜１重量パーセント、約０．５〜１重量パーセント、約０．０１〜０．５重量パーセント、約０．０１〜０．１重量パーセント、または、約０．０１〜０．０５重量パーセントの範囲である。
【００２３】
一実施形態では、カーボンナノチューブの量は、約０．１〜３．０重量パーセント、約０．１〜２．５重量パーセント、約０．１〜２．０重量パーセント、約０．１〜１．５重量パーセント、約０．１〜１．０重量パーセント、約０．１〜０．５重量パーセント、約０．５〜３．０重量パーセント、約０．５〜２．５重量パーセント、約０．５〜２．０重量パーセント、約０．５〜１．５重量パーセント、約０．５〜１．０重量パーセント、約１．０〜３．０重量パーセント、約１．０〜２．５重量パーセント、約１．０〜２．０重量パーセント、約１．０〜１．５重量パーセント、約１．５〜３．０重量パーセント、約１．５〜２．５重量パーセント、約１．５〜２．０重量パーセント、約２．０〜３．０重量パーセント、または、約２．５〜３．０重量パーセントの範囲である。
【００２４】
一実施形態では、樹脂または接着材料の量は、約１０〜３５重量パーセント、約１０〜３０重量パーセント、約１０〜２５重量パーセント、約１０〜２０重量パーセント、約１０〜１５重量パーセント、約１５〜３５重量パーセント、約１５〜３０重量パーセント、約１５〜２５重量パーセント、約２０〜３５重量パーセント、または、約２０〜３０重量パーセントの範囲である。
【００２５】
一実施形態では、第１の層、および、第２の層は、ユーザの要求に基づく任意の厚さを有してよい。
【００２６】
本開示は、本開示の複合物を２つ以上含む積層体を提供する。
【００２７】
本開示は、本開示の複合物を含む製品も提供する。本開示の複合物は、製品に接着されるかまたは入れられる。いくつかの実施形態では、製品は、パッチ、靴パッド、ベルト、胸パッド、腹部パッド、ネックストラップ、バンド、タンクトップ、ベスト、帽子、または、下着である。製品は、いかなる形状であってもよい。
【００２８】
本開示は、不活性材料を含む複合物を身体に適用することを含む、身体の健康を向上させる方法も開示する。本開示の方法により、身体から発せられるエネルギーを複合物によって身体に反射させて身体の健康状態を高めることができる。
【００２９】
一実施形態では、複合物は、本願明細書中に記載されているものである。
【００３０】
例示的実施形態は、さまざまな異なる形式で具体的に示されているが、本願明細書に記載された実施形態に限定されると解釈すべきではない。むしろ、これらの例示的実施形態は、本開示の例示的実施形態の範囲を完全かつ完璧に伝えるために記載されている。
【００３１】
［実施例］
以下の配合を有する本開示の複合物を、靴パッドおよび経絡パッチに入れた。
【表１】
2020029086.tif 000002
【００３２】
靴パッドテスト
【００３３】
男女６人ずつに複合物Ａ、Ｂ、または、Ｃを入れた靴パッドを毎日８時間、１週間着用してもらった。テスト後、ＡＥ生物電気アナライザによって検出された結果は、以下のとおりである。
血管抵抗：５％を上回る向上
血管弾性：１０％を上回る向上
脳血管弾性：１０％を上回る向上
骨過成長：１０％を上回る改善
骨粗鬆症：１０％を上回る改善
【００３４】
経絡パッチテスト
【００３５】
男女６人ずつにテストに参加してもらった。複合物Ａ、Ｂ、または、Ｃを入れた経絡パッチを被検者の足裏の湧泉のツボに１日８時間、１週間貼った。その後、被検者に握力テストを行い、握力計で測定した結果を以下の表に示す。
【表２】
2020029086.tif 000003
【００３６】
被検者に複合物Ａ、Ｂ、または、Ｃに対するバランステストを行い、その結果を以下に示す。直径３０ｃｍの円を地面に描き、各被験者を円の中心に立たせ、１０回、円を描いて回ってもらった。結果を以下の表に示す。
【表３】
2020029086.tif 000004
【００３７】
本開示およびその利点を詳細に記載したが、以下の特許請求の範囲によって定義された本開示の趣旨および範囲に逸脱することなくさまざまな変更、置き換え、および、修正が可能であることを理解されたい。
【外国語明細書】
2020029086000001.pdf
2020029086000002.pdf
2020029086000003.pdf